(57)【要約】  【課題】  ビスの挿通孔は凹入部（ビスの頭部を収容する）に突設した突出筒で構成して、施工に際し、ビス頭部で押圧される突出筒を木質材中に変形なく、確実に挟入されるようにして、木質材の挟時変化によるやせを吸収してビスの緩みを防ぐことができ、延いては、補強材として、木材同士の接続状態を維持し、木質材の経時変化に対応した木質材の接続状態を得られる。  【解決手段】  短ざく状の金属製主体板１の長手方向の両側に、複数個のビス挿通用の透孔部２を設けて構成する。各透孔部２を、押出し成形して前記ビスの頭部ｎａを係合させる凹入部２０１と、該凹入部２０１の中央に設けた前記ビスのねじ脚ｎｃを挿通させる挿通孔２０２で構成し、挿通孔２０２は前記凹入部２０１の底壁２０１ａに突設した円筒で構成する。【選択図】    図１
2014122483.tif 000002
【特許請求の範囲】
【請求項１】
短ざく状の金属製主体板の長手方向の両側に、複数個のビス挿通用の透孔部を設けて成り、各透孔部を、押出し成形して前記ビスの頭部を係合させる凹入部と、該凹入部の中央に設けた前記ビスのねじ脚を挿通させる挿通孔で構成し、挿通孔は前記凹入部に突設した円筒で構成した、木造建物用継ぎ手金物。
【発明の詳細な説明】
【技術分野】
【０００１】
本発明は、上下階管柱の連結や胴差相互の連結に際しての補強用として添設される継ぎ手金物に関するものである。
【背景技術】
【０００２】
短ざく状の金属製の主体板の長手方の両側に、互いに対称的に、複数個のビス（ねじ釘）挿通用の透孔部を設け、例えば、上下階管柱間に渡すようにしてビスによって止着して該管柱同士の連結を補強するようにした構造のものがある（非特許文献１）。
【０００３】
前記従来例は、軸組材の表面に重ね合わせビスで止着する構成を採る（ボルトとナットで締め付けるものもあるが、ここでは別論）ので、ビスの頭部が当該継ぎ手金物表面より突出し、壁パネルを張付ける等の次段の作業に支障を来たす場合がある。
【０００４】
このため、該頭部を主体板に突出しないよう組付けるため、エンボス加工して頭部の径に見合う径を備えた凹入部を形成し、該凹入部の底壁部分にビスのねじ脚を挿通させる透孔を設けて前記頭部が凹入部内に収容され、主体板表面とビス頭部の頭面が、少なくも同面になるようにしたものが用いられている（特許文献１）。
【先行技術文献】
【非特許文献】
【０００５】
【非特許文献１】財団法人日本住宅・木材技術センター発行「Ｚマーク表示金物  木造住宅用接合金物の使い方」第１５頁、第１６頁
【特許文献】
【０００６】
【特許文献１】意匠登録第１４１６３０８号公報
【発明の概要】
【発明が解決しようとする課題】
【０００７】
特許文献１記載の従来例は、凹入部を設けたことにより該凹入部内にビス頭部が収容され、それなりに所期の目的を果たすが、施工に際し、凹入部の底壁は、該底壁に設けた透光を通じて梁などの木質材に挟入させたビスの頭部で押圧された状態で木質材中に圧入されているので、木質材が経時変化によってやせたとき等該圧入状態を保持できなくなり、ビスが緩むと共に、金物全体と木質材との接触状態が緩み、延いては木材間の接合強度に問題が生じることが想定される。
【０００８】
本発明は、斯様な想定を比較的回避できる木造建物用継ぎ手金物を提供することを目的として創案したものである。
【課題を解決するための手段】
【０００９】
短ざく状の金属製主体板の長手方向の両側に互いに対称的に、複数個のビス挿通用の透孔部を設けて成り、各透孔部を、押出し成形して前記ビスの頭部を係合させる凹入部と、該凹入部の中央に設けた前記ビスのねじ脚を挿通させる挿通孔で構成し、挿通孔は前記凹入部に突設した円筒で構成したものである。
【発明の効果】
【００１０】
本発明によれば、ビスの挿通孔は凹入部（ビスの頭部を収容する）に突設した突出筒で構成したものであるから、施工に際し、ビス頭部で押圧される突出筒は木質材中に変形なく、確実に挟入され、木質材の挟時変化によるやせを吸収してビスの緩みを防ぐことができ、延いては、補強材として、木材同士の接続状態を維持し、木質材の経時変化に対応した木質材の接続状態を得ることができる。
【図面の簡単な説明】
【００１１】
【図１】正面図。
【図２】図１のｘ−ｘ線断面図。
【図３】平面図。
【図４】背面図。
【図５】拡大左側面図。
【図６】拡大右側面図。
【図７】図１のｙ−ｙ線拡大断面図。
【図８】図２の一部拡大図。
【図９】使用状態を示す正面図。
【図１０】図９のｚ−ｚ線拡大断面図。
【図１１】図１０の一部拡大図。
【発明を実施するための形態】
【００１２】
図面は、本発明に係る木造建物用継ぎ手金物の一実施形態を示し、木造建物用継ぎ手金物Ａは、短ざく状の、金属製の主体板１の長手方向の両側部に、両側間で互いに対称的にして（対称的に設けることにより方向性を選ばずに用いることができる）透孔部２，…を設け、前記両側間の中央部には、打出し成形した細長い三角形状の舌状片を、中間部で折り曲げて形成した仮止爪１０ａを設けて成り、長手方向の一側の透孔部２，…群を互いに接続する一方の木質材（例えば、一方の梁）の表面に、他側の透孔部２，…群を他方の木質材（例えば、他方の梁）の表面にぞれぞれ重ね合わせ、透孔部２に備えた挿通孔２０２を利用してビス（ねじ釘）ｎを木質材に挟入して組付け、両木質材同士を接続するために用いるものである。
【００１３】
前記透孔部２は、押出し成形して（エンボス加工）設けた凹入部２０１と該凹入部２０１の底壁２０１ａの中央を開口して設け、しかも、凹入部２０１に連通する前記挿通孔２０２を備えて成り、この透孔部２の前記挿通孔２０２は、前記底壁２０１ａの中央部をバーリング加工して円筒状に突出させて連設した突出筒２０２ａで取り囲んで構成するものである。
【００１４】
そして、図９で示すように、例えば一対の梁材ｂ，ｂを長手方向に沿って接続するに際し、継ぎ手金物Ａを、その長手方向の中央を、梁材ｂ，ｂの端面同士互いに当接部分に重ね合わせるようにして係止爪１０ａを梁材ｂに打込んで仮止めし、仮止めした該継ぎ手金物Ａの各透孔部２に工具によるねじ込み操作により、順次ビスｎの脚杆ｎｃを通して梁材ｂに螺入させていくと、ビスｎの頭部ｎａは透孔部２の凹入部２０１内に、また、丸根部ｎｂは挿通孔２０２に挿通され、前記ねじ込み操作の継続によりビス頭部ｎａは凹入部２０１の底壁２０１ａに接触してこれを押圧し、押圧された底壁２０１ａは梁材ｂ中に嵌入して沈み込み、これと同時に底壁２０１ａの外面に突設した突出筒２０２ａは、ビスｎの前進に伴って梁材ｂ中に挟入され、主体板１が梁材ｂに密接状態になると、ビスｎの前進が規制され、ビスｎのねじ込み操作を終え、この様に、各透孔部２にビスｎを組合わせて継ぎ手金物Ａを梁材ｂ，ｂに渡して固定することにより、金物Ａを用いた梁材ｂ，ｂの接続作業を終える。
【００１５】
なお、突出筒２０２ａは梁材すなわち木質材にビスｎのねじ込みに伴って埋入される際、該ねじｎの脚杆ｎｃに沿って（案内されて）移動するのでその変形が防止される。
【００１６】
そして、締付け作業時にビス頭部ｎａに押圧されて梁材中に埋入される前記突出筒２０２ａが梁材ｂに止着され、従って、継ぎ手金物Ａを介する梁材ｂ，ｂがやせても該梁材ｂに追従して金物Ａと梁材ｂとの間の隙間（両者間の離開）の発生を比較的防ぐことができる。
【００１７】
また、実施形態の挿通孔２０２は打ち抜く面積を少なくして、バーリング加工によりビスｎが通る孔径に押し広げて成形しており、打ち抜く面積を少なくしたことで、金物自体の断面積を増やし、金物Ａに引張り力が掛ったときの挿通孔２０２での金物自体の破断がしづらくなるようにしてあり、さらに、突出筒２０２ａを設けたことで、梁材ｂすなわち木材にめり込む面積も増えて、梁材ｂと金物Ａのズレも軽減できるようにしてある。
【符号の説明】
【００１８】
１        主体板
２        透孔部
２０１    凹入部
２０１ａ  底壁
２０２    挿通孔
ｎ        ビス
ｎａ      ビス頭部
【図１】
2014122483.tif 000003
【図２】
2014122483.tif 000004
【図３】
2014122483.tif 000005
【図４】
2014122483.tif 000006
【図５】
2014122483.tif 000007
【図６】
2014122483.tif 000008
【図７】
2014122483.tif 000009
【図８】
2014122483.tif 000010
【図９】
2014122483.tif 000011
【図１０】
2014122483.tif 000012
【図１１】
2014122483.tif 000013